(57)【要約】【課題】回転バケット内にスペーサを確実に取付けることのできるボトル商品の自動販売機を提供する。【解決手段】回転バケット３０の底面である載置部３１に第１係合孔３１ｂが設けられるとともに、回転バケット３０の内周面の上下方向中間部に互いに周方向に間隔をおいて一対の第２係合孔３２ｃが設けられ、スペーサ５０には各係合孔３１ｂ，３２ｃに係合可能な各係合突起５４，５５を有することから、スペーサ５０を回転バケット３０の上端及び下端に係合させる場合と比較し、スペーサ５０の各係合突起５４，５５の間の間隔が小さくなる。このため、例えば回転バケット３０が上下方向に細長く形成されている場合でも、各係合突起５４，５５の間でスペーサ５０が屈曲して各係合突起５４，５５と各係合孔３１ｂ，３２ｃの係合が解除されることがない。【選択図】図５
2007293583.tif 000002
【特許請求の範囲】
【請求項１】
前面を開口した自動販売機本体と、自動販売機本体内に配置され、複数のボトル商品を前後方向に並ぶように起立状態で収容可能な商品通路が設けられた収容ラックと、商品通路の前方に配置されるように収容ラックに設けられ、周方向の一部に開口部を有する略筒状に形成された回転バケットとを備え、回転バケットを開口部が後方を向く回転方向所定位置に配置すると、商品通路内の各ボトル商品のうち最前のボトル商品が回転バケット内に収容され、回転バケットを開口部が前方を向く他の回転方向所定位置まで回転させると、回転バケット内のボトル商品が前方に搬出されるボトル商品の自動販売機において、
前記回転バケットの下端側に設けられた第１係合孔と、
回転バケットの内周面の上下方向中間部に設けられた第２係合孔と、
前記各係合孔にそれぞれ係合可能な複数の係合突起を有し、商品通路に収容するボトル商品の外径の大きさに応じて回転バケットに取付けられるスペーサとを備えた
ことを特徴とするボトル商品の自動販売機。
【請求項２】
前面を開口した自動販売機本体と、自動販売機本体内に配置され、複数のボトル商品を前後方向に並ぶように起立状態で収容可能な商品通路が設けられた収容ラックと、商品通路の前方に配置されるように収容ラックに設けられ、周方向の一部に開口部を有する略筒状に形成された回転バケットとを備え、回転バケットを開口部が後方を向く回転方向所定位置に配置すると、商品通路内の各ボトル商品のうち最前のボトル商品が回転バケット内に収容され、回転バケットを開口部が前方を向く他の回転方向所定位置まで回転させると、回転バケット内のボトル商品が前方に搬出されるボトル商品の自動販売機において、
前記回転バケットの内周面の上下方向中間部に設けられた複数の係合孔と、
前記各係合孔にそれぞれ係合可能な複数の係合突起を有し、商品通路に収容するボトル商品の外径の大きさに応じて回転バケットに取付けられるスペーサとを備えた
ことを特徴とするボトル商品の自動販売機。
【請求項３】
前記スペーサを、互いに回転バケットの周方向に間隔をおいて上下方向に延びるように形成された一対のフレーム部と、各フレーム部の間に互いに上下方向に間隔をおいて設けられ、回転バケットの内周面に沿って周方向に延びるように形成された複数の周方向延設部とから構成した
ことを特徴とする請求項１または２記載のボトル商品の自動販売機。
【請求項４】
前記各周方向延設部のうち下端側の周方向延設部にその上面から上方に向かって延びるように形成された上下方向延設部を設けた
ことを特徴とする請求項３記載のボトル商品の自動販売機。
【発明の詳細な説明】
【技術分野】
【０００１】
本発明は、飲料入りのビンやペットボトル等のボトル商品を起立状態で収容する収容ラックを有し、収容ラックの前面側に設けられた回転バケットによってボトル商品を１つずつ搬出するようにしたボトル商品の自動販売機に関するものである。
【背景技術】
【０００２】
従来、この種のボトル商品の自動販売機としては、前面を開口した自動販売機本体と、自動販売機本体に前方に向かって引き出し可能に装着され、複数のボトル商品を起立状態で前後方向に並ぶように複数列収容可能に形成されるとともに、収容された各ボトル商品が底板の傾斜によって前方に向かって移動するように構成された箱状の収容ラックと、収容ラック内に収容された各ボトル商品を列ごとに仕切り、収容ラック内に複数の商品通路を形成する複数の仕切板と、各商品通路の前方にそれぞれ配置されるように収容ラックに設けられ、周方向の一部に開口部を有する略円筒形状に形成された複数の回転バケットとを備え、回転バケットを開口部が後方を向く回転方向所定位置に配置すると、商品通路内の各ボトル商品のうち最前のボトル商品が回転バケット内に移動し、回転バケットを開口部が前方を向く他の回転方向所定位置まで回転させると、回転バケット内のボトル商品が前方に搬出されるようにしたものが知られている（例えば、特許文献１参照。）。
【特許文献１】特開２０００−２９３７５１号公報
【発明の開示】
【発明が解決しようとする課題】
【０００３】
ところで、前記自動販売機では、ボトル商品の種類によってその外径が異なり、小さい外径を有するボトル商品を商品通路内に収容する場合は、ボトル商品と回転バケット１００の内周面との間に大きな隙間が生じ、ボトル商品が回転バケット１００内で倒れ易くなるので、回転バケット１００内に着脱自在に取付られるスペーサ１１０を設け、スペーサ１１０によってボトル商品Ａの転倒を防止している（図９参照）。また、回転バケット１００の底面及び上面にはそれぞれ係合孔１０１が設けられ、スペーサ１１０の上端及び下端にはそれぞれ各係合孔１０１に係合可能な２つの係合突起１１１が設けられている。
【０００４】
しかしながら、一般にボトル商品Ａは上下方向に細長く形成されているので、回転バケット１００の内周面もボトル商品Ａに沿って細長く形成されており、また、スペーサ１１０は製造コスト及び重量を低減するために合成樹脂材料から形成されているので、スペーサ１１０の上下方向中間部が屈曲し易い。これにより、スペーサ１１０の屈曲によって係合突起１１１が係合孔１０１から外れ易く、回転バケット１００内にスペーサ１１０を確実に取付けることができないという問題点があった。
【０００５】
本発明は前記問題点に鑑みてなされたものであり、その目的とするところは、回転バケット内にスペーサを確実に取付けることのできるボトル商品の自動販売機を提供する。
【課題を解決するための手段】
【０００６】
本発明は前記目的を達成するために、前面を開口した自動販売機本体と、自動販売機本体内に配置され、複数のボトル商品を前後方向に並ぶように起立状態で収容可能な商品通路が設けられた収容ラックと、商品通路の前方に配置されるように収容ラックに設けられ、周方向の一部に開口部を有する略筒状に形成された回転バケットとを備え、回転バケットを開口部が後方を向く回転方向所定位置に配置すると、商品通路内の各ボトル商品のうち最前のボトル商品が回転バケット内に収容され、回転バケットを開口部が前方を向く他の回転方向所定位置まで回転させると、回転バケット内のボトル商品が前方に搬出されるボトル商品の自動販売機において、前記回転バケットの下端側に設けられた第１係合孔と、回転バケットの内周面の上下方向中間部に互いに周方向に間隔をおいて設けられ、それぞれ開口部の近傍に配置された一対の第２係合孔と、前記各係合孔に係合可能な複数の係合突起を有し、商品通路に収容するボトル商品の外径の大きさに応じて回転バケットに取付けられるスペーサとを備えている。
【０００７】
これにより、第１係合孔は回転バケットの下端側に設けられるとともに、各第２係合孔は回転バケットの内周面の上下方向中間部に設けられ、スペーサは回転バケットの各係合孔にそれぞれ係合可能な複数の係合突起を有することから、スペーサを回転バケットの上端及び下端に係合させる場合と比較し、スペーサの各係合突起間の間隔が小さくなる。
【０００８】
また、本発明は、前面を開口した自動販売機本体と、自動販売機本体内に配置され、複数のボトル商品を前後方向に並ぶように起立状態で収容可能な商品通路が設けられた収容ラックと、商品通路の前方に配置されるように収容ラックに設けられ、周方向の一部に開口部を有する略筒状に形成された回転バケットとを備え、回転バケットを開口部が後方を向く回転方向所定位置に配置すると、商品通路内の各ボトル商品のうち最前のボトル商品が回転バケット内に収容され、回転バケットを開口部が前方を向く他の回転方向所定位置まで回転させると、回転バケット内のボトル商品が前方に搬出されるボトル商品の自動販売機において、前記回転バケットの内周面の上下方向中間部に設けられた複数の係合孔と、前記各係合孔にそれぞれ係合可能な複数の係合突起を有し、商品通路に収容するボトル商品の外径の大きさに応じて回転バケットに取付けられるスペーサとを備えている。
【０００９】
これにより、各係合孔は回転バケットの内周面の上下方向中間部に設けられ、スペーサは回転バケットの各係合孔にそれぞれ係合可能な複数の係合突起を有することから、スペーサを回転バケットの上端及び下端に係合させる場合と比較し、スペーサの各係合突起間の間隔が小さくなる。
【発明の効果】
【００１０】
本発明によれば、スペーサを回転バケットの上端及び下端に係合させる場合と比較し、スペーサの各係合突起間の間隔を小さくすることができるので、例えば回転バケットが上下方向に細長く形成されている場合でも、各係合突起の間でスペーサが屈曲して各係合突起と各係合孔との係合が解除されることがなく、回転バケット内にスペーサを確実に取付けることができる。
【発明を実施するための最良の形態】
【００１１】
図１乃至図７は本発明の一実施形態を示すもので、図１は自動販売機の斜視図、図２は収容ラックの斜視図、図３は収容ラックの平面図、図４は取付板及び駆動機構を取外した状態の収容ラックの平面図、図５は回転バケット及びスペーサの斜視図、図６は収容ラックの要部斜視図、図７はボトル商品を載置した状態のスライダー、当接部材及び回転バケットの側面図である。
【００１２】
この自動販売機は、前面を開口した自動販売機本体１と、自動販売機本体１の開口部を開閉可能な前面扉２と、前面扉２の背面側に配置されるように自動販売機本体１内に設けられ、複数のボトル商品Ａを前後方向に並ぶように起立状態で複数列収容可能な収容ラック１０とを備えている。また、収容ラック１０は、前後方向に延びるように設けられた複数のスライダー２０と、各スライダー２０の前方にそれぞれ配置されるように設けられた複数の回転バケット３０と、各回転バケット３０をそれぞれ回転させるための複数の駆動機構３５と、回転バケット３０内に着脱自在に取付可能なスペーサ５０とを有する。また、以下の文章中の方向の説明は図１及び図２に示した方向に準ずる。また、以下の文章中の幅方向は図１及び図２に示した左右方向と一致している。
【００１３】
自動販売機本体１は矩形の箱状に形成されており、前面に紙幣投入口３、硬貨投入口４、商品選択ボタン５、硬貨取出口６などを有する。また、前面扉２は矩形板状のガラス板２ａを有し、右端が自動販売機本体１に支持されている。また、前面扉２の左端には開閉のための取手２ａが設けられている。
【００１４】
収容ラック１０は、前後方向に延びるように設けられた一対の側面板１１と、各側面板１１の前端に固定されている前面板１２と、各側面板１１の後端に固定されている背面板１３と、収容ラック１０内に収容された各ボトル商品Ａを列ごとに仕切り、収容ラック１０内に複数の商品通路１０ａを形成するための複数の仕切板１４とを有する。
【００１５】
各側面板１１の前端側には左右方向に貫通する第１取付孔１１ａがそれぞれ設けられ、各側面板１１の後端側には左右方向に貫通する複数の第２取付孔１１ｂがそれぞれ設けられるとともに、各第２取付孔１１ｂは互いに上下方向に間隔をおいて配置されている。また、各側面板１１にはそれぞれ前後方向に延びるレール１１ｃが設けられている。
【００１６】
前面板１２の中央部には矩形状の開口部１２ａが設けられている。また、前面板１２の上端側の背面には取付板１２ｂが設けられ、取付板１２ｂは前面板１２の背面から後方に向かって延びるように形成されている。前面板１２の下端側の背面には平板状の商品受け１２ｃが設けられ、商品受け１２ｃは前面板１２の背面から後方に向かって延びるように形成されている。
【００１７】
各スライダー２０は各商品通路１０ａごとに設けられ、商品通路１０ａ内に収容されたボトル商品Ａの底面を前方に向かって移動可能に支持している。また、スライダー２０には当接部材４０が前後方向に移動可能に係合しており、当接部材４０は図示しない付勢部材によって前方に向かって付勢されている。当接部材４０はスライダー２０に載置された各ボトル商品Ａのうち最後尾のボトル商品Ａに後方から当接可能であり、当接部材４０の前面はボトル商品Ａの側面に沿うように曲面状に形成されている。
【００１８】
スライダー２０の前端には第１切欠部２０ａが設けられ、スライダー２０の後端には第２切欠部２０ｂが設けられている。一方、収容ラック１０の各側面板１１の第１取付孔１１ａには棒状の前端支持部材６０の端部がそれぞれ挿通し、収容ラック１０の各側面板１１の第２取付孔１１ｂには棒状の後端支持部材７０の端部がそれぞれ挿通している。また、各スライダー２０の第１切欠部２０ａは前端支持部材６０にそれぞれ係合し、各スライダー２０の第２切欠部２０ｂは後端支持部材７０にそれぞれ係合している。即ち、各スライダー２０は各支持部材６０，７０を介して収容ラック１０に支持されている。
【００１９】
各回転バケット３０は透明な合成樹脂材料から成る。また、各回転バケット３０は、スライダー２０の前端の上面より少し低い位置に設けられ、回転バケット３０の底面を形成する円板状の載置部３１と、載置部３１の上面から上方に延びるように設けられた略円筒形状の筒状部３２とを有する。
【００２０】
載置部３１の下面には円筒状のボス３１ａが設けられ、ボス３１ａは収容ラック１０の商品受け１２ｃに回転自在に支持されている。また、載置部３１には第１係合孔３１ｂが設けられている。
【００２１】
筒状部３２の周方向の一部には開口部３２ａが設けられ、開口部３２ａは筒状部３２の外周面の一部が略半周に亘って開口することにより形成されている。筒状部３２の上面には円筒状のボス３２ｂが設けられ、ボス３２ｂは収容ラック１０の取付板１２ｂに回転自在に係合している。筒状部３２の内周面の上下方向中間部には一対の第２係合孔３２ｃが設けられ、各第２係合孔３２ｃは互いに周方向に間隔をおいて配置されるとともに、それぞれ開口部３２ａの近傍に配置されている。ここで、各第２係合孔３２ｃは筒状部３２の内周面の上下方向略中央部に配置されている。
【００２２】
各回転バケット３０は前面板１２の背面側に配置されている。また、各回転バケット３０の間にはそれぞれ第１フレーム３３が設けられ、幅方向両側の回転バケット３０と側面板１１との間にはそれぞれ第２フレーム３４が設けられている。これにより、各回転バケット３０の間に生ずる隙間が閉鎖されるとともに、幅方向両側の回転バケット３０と側面板１１との間に生ずる隙間が閉鎖されている。また、ボトル商品Ａを搬出しない待機時は、各回転バケット３０は開口部３２ａが後方を向く回転方向所定位置に配置されている。このため、前面板１２の背面側は各回転バケット３０の筒状部３２の外周面、各フレーム３３，３４、取付板１２ｂ及び商品受け１２ｃによって閉鎖され、収容ラック１０内のボトル商品Ａに対する悪戯等の不正を防止することができる。
【００２３】
駆動機構３５は周知の電動モータから成り、収容ラック１０の取付板１２ｂに固定されている。また、駆動機構３５の図示しない駆動シャフトが回転バケット３０の上部に回転方向に係合している。
【００２４】
スペーサ５０は透明な合成樹脂材料から成る。また、スペーサ５０は、互いに回転バケット３０の周方向に間隔をおいて設けられ、それぞれ上下方向に延びるように形成された一対のフレーム部５１と、各フレーム部５１の間に互いに上下方向に間隔をおいて設けられた複数の周方向延設部５２と、各周方向延設部５２のうち下端側の２つの周方向延設部の上面にそれぞれ２つずつ設けられた上下方向延設部５３と、各周方向延設部５２のうち下端の周方向延設部５２に設けられた第１係合突起５４と、各フレーム部５１の上端にそれぞれ設けられた第２係合突起５５とを有する。各周方向延設部５２は回転バケット３０の内周面に沿って周方向に延びるように形成されている。各上下方向延設部５３は上端から下端に向かって徐々に回転バケット３０の径方向内側に徐々に突出するように形成されている。第１係合突起５５は周方向延設部５２の下面から下方に延びるように形成され、回転バケット３０の第１係合孔３１ｂに着脱自在に係合可能である。また、各第２係合突起５５は各第２係合孔３２ｃに着脱自在に係合可能である。
【００２５】
このように構成されたボトル商品の自動販売機において、収容ラック１０を自動販売機本体１に装着する場合は、収容ラック１０の各レール１１ｃを自動販売機本体１に設けられた図示しないレールに係合させる。これにより、収容ラック１０が自動販売機本体１に前方に引き出し可能に装着される。また、自動販売機本体１に装着された収容ラック１０の各スライダー２０が後端側から前端側に向かって下方に傾斜するように、収容ラック１０の各レール１１ｃの傾きが設定されている。
【００２６】
自動販売機本体１に装着された収容ラック１０に複数のボトル商品Ａを装填すると、各ボトル商品Ａは各商品通路１０ａ内に前後方向に並ぶように収容される。また、商品通路１０ａ内の各ボトル商品Ａはスライダー２０の傾斜によって前方に向かって移動する。また、各ボトル商品Ａがスライダー２０上を前方に向かって移動すると、各ボトル商品Ａのうち最前のボトル商品Ａが回転バケット３０内に配置される（図７参照）。
【００２７】
ここで、各回転バケット３０は前面板１２の背面側に配置されるとともに、前面板１２には開口部１２ａが設けられ、前面板１２は前面扉２のガラス板２ａの背面側に配置されるとともに、各回転バケット３０は透明な合成樹脂材料から形成されているので、各回転バケット３０内に収容された商品を自動販売機本体１の前面側から視認することができる。
【００２８】
続いて、紙幣投入口３または硬貨投入口４に貨幣が投入され、商品選択ボタン５が操作されると、商品選択ボタン５の操作に応じた回転バケット３０が駆動機構３５によって回転し、回転バケット３０は開口部３２ａが前方を向く他の回転方向所定位置に配置される。これにより、回転バケット３０内のボトル商品Ａが前方に搬出される。回転バケット３０から搬出されたボトル商品Ａは前面扉２を開放することにより取出される。
【００２９】
一方、回転バケット３０の内径は外径の大きいボトル商品Ａに応じて形成されているので、外径の小さいボトル商品Ａが回転バケット３０内に収容されると、ボトル商品Ａと回転バケット３０の内周面との間に大きな隙間が生じ、ボトル商品Ａが回転バケット３０内で転倒し易くなる。このため、外径の小さいボトル商品Ａを商品通路１０ａ内に装填する場合は、回転バケット３０内にスペーサ５０を取付け、回転バケット３０内におけるボトル商品Ａの転倒を防止するようにしている。
【００３０】
ここで、回転バケット３０には各係合孔３１ｂ，３２ｃが設けられ、スペーサ５０の各係合突起５４，５５は各係合孔３１ｂ，３２ｃに着脱自在に係合可能であることから、各係合突起５４，５５を各係合孔３１ｂ，３２ｃに係合させることにより、スペーサ５０が回転バケット３０に取付けられる。
【００３１】
また、第１係合孔３１ａは回転バケット３０の底面である載置部３１に設けられるとともに、各第２係合孔３２ｃは回転バケット３０の内周面の上下方向中間部に互いに周方向に間隔をおいて設けられていることから、スペーサ５０を回転バケット３０の上端及び下端に係合させる場合と比較し、スペーサ５０の各係合突起５４，５５の間の間隔が小さくなる。
【００３２】
さらに、各第２係合孔３２ｃはそれぞれ開口部３２ａの近傍に配置されているので、各回転バケット３０を開口部３２ａが後方を向く回転方向所定位置に配置すると、各第２係合孔３２ｃが各フレーム３３，３４によって見え難く且つ触り難い位置に配置され、収容ラック１０内のボトル商品Ａに対する悪戯等の不正を防止する上で有利である（図６参照）。
【００３３】
このように、本実施形態によれば、回転バケット３０の底面である載置部３１には第１係合孔３１ｂが設けられるとともに、回転バケット３０の内周面の上下方向中間部には互いに周方向に間隔をおいて一対の第２係合孔３２ｃが設けられ、スペーサ５０は各係合孔３１ｂ，３２ｃに係合可能な各係合突起５４，５５を有することから、スペーサ５０を回転バケット３０の上端及び下端に係合させる場合と比較し、スペーサ５０の各係合突起５４，５５の間隔が小さくなる。このため、例えば回転バケット３０が上下方向に細長く形成されている場合でも、各係合突起５４，５５の間でスペーサ５０が屈曲して各係合突起５４，５５と各係合孔３１ｂ，３２ｃとの係合が解除されることがなく、回転バケット３０内にスペーサ５０を確実に取付けることができる。
【００３４】
また、前記スペーサを、互いに回転バケット３０の周方向に間隔をおいて上下方向に延びるように形成された一対のフレーム部５１と、各フレーム部５１の間に互いに上下方向に間隔をおいて設けられ、それぞれ回転バケット３０の内周面に沿って周方向に延びるように形成された複数の周方向延設部５２とから構成したので、回転バケット３０内に収容されたボトル商品Ａを自動販売機本体１の前面側から視認する際の視認性を低下させることがなく、利用者の利便性を確保する上で極めて有利である。
【００３５】
また、商品通路１０ａ内及び回転バケット３０内にボトル商品Ａが無くなった後、商品通路１０ａ内及び回転バケット３０内にボトル商品Ａを装填する場合に、ボトル商品Ａは各周方向延設部５２のうち下端側の周方向延設部５２に引っ掛かりやすく、周方向延設部５２に引っ掛かるとボトル商品Ａの装填を円滑に行うことができない。しかし、各周方向延設部５２のうち下端側の周方向延設部５２には複数の上下方向延設部５３が設けられ、上下方向延設部５３は周方向延設部５２の上面から上方に向かって延びるように形成されているので、ボトル商品Ａは周方向延設部５２に引っ掛かる前に上下方向延設部５３に接触し、ボトル商品Ａが下端側の周方向延設部５２に引っ掛かることがない。即ち、ボトル商品Ａの装填作業を円滑に行うことができる。さらに、各上下方向延設部５３は上方から下方に向かって回転バケット３０の径方向内側に徐々に突出するように形成されているので、ボトル商品Ａの装填を円滑に行う上で有利である。
【００３６】
尚、本実施形態では、回転バケット３０の底面である載置部３１に第１係合孔３１ｂが設けられるとともに、回転バケット３０の内周面の上下方向中間部に互いに周方向に間隔をおいて一対の第２係合孔３２ｃが設けられ、スペーサ５０には各係合孔３１ｂ，３２ｃに係合可能な各係合突起５４，５５が設けられたものを示した。これに対し、図８に示すように、第１係合孔３１ｂの代わりに回転バケット３０の内周面の上下方向中間部に一対の第３係合孔３２ｄを設けるとともに、第１係合突起５４の代わりにスペーサ５０に一対の第３係合突起５６を設けることも可能である。
【００３７】
この場合、各第３係合孔３２ｄは各第２係合孔３２ｃよりも下方に設けられ、互いに周方向に間隔をおいて配置されている。また、各第３係合孔３２ｄはそれぞれ開口部３２ａの近傍に配置されている。各第３係合突起５６は各フレーム部５１の下端側にそれぞれ設けられ、それぞれ各第３係合孔３２ｄに着脱自在に係合可能である。このため、各係合突起５５，５６を各係合孔３２ｃ，３２ｄに係合させることにより、スペーサ５０が回転バケット３０に取付けられる。
【００３８】
このように、回転バケット３０の内周面の上下方向中間部には互いに周方向に間隔をおいて一対の第２係合孔３２ｃが設けられるとともに、回転バケット３０の内周面の上下方向中間部における各第２係合孔３２ｃの下方には互いに周方向に間隔をおいて一対の第３係合孔３２ｄが設けられ、スペーサ５０は各係合孔３２ｃ，３２ｄに係合可能な各係合突起５５，５６を有するので、スペーサ５０を回転バケット３０の上端及び下端に係合させる場合と比較し、スペーサ５０の各係合突起５５，５６の間隔が小さくなる。このため、例えば回転バケット３０が上下方向に細長く形成されている場合でも、各係合突起５５，５６の間でスペーサ５０が屈曲して各係合突起５５，５６と各係合孔３２ｃ，３２ｄとの係合が解除されることがなく、回転バケット３０内にスペーサ５０を確実に取付けることができる。
【００３９】
また、回転バケット３０に各第３係合孔３２ｄを設けずに各第２係合孔３２ｃのみを設け、スペーサ５０に各第３係合突起５６を設けずに各第２係合突起５５のみを設けることも可能である。この場合、スペーサ５０を回転バケット３０に装着する際に係合させる係合突起の数が少なくなるので、スペーサ５０の着脱をより容易に行うことができる。
【００４０】
尚、本実施形態では、当接部材４０がスライダー２０に前後方向に移動可能に係合するとともに、当接部材４０が図示しない付勢部材によって前方に向かって付勢され、当接部材４０によってスライダー２０上の各ボトル商品Ａが前方に向かって付勢されるようにしたものを示したが、スライダー２０は後端から前端に向かって下方に傾斜しており、各ボトル商品Ａは自重によってスライダー２０上を前方に向かって移動するので、当接部材４０を設けないことも可能である。
【図面の簡単な説明】
【００４１】
【図１】本発明の一実施形態を示す自動販売機の斜視図
【図２】収容ラックの斜視図
【図３】収容ラックの平面図
【図４】取付板及び駆動機構を取外した状態の収容ラックの平面図
【図５】回転バケット及びスペーサの斜視図
【図６】収容ラックの要部斜視図
【図７】ボトル商品を載置した状態のスライダー、当接部材及び回転バケットの側面図
【図８】本実施形態の変形例を示す回転バケット及びスペーサの斜視図
【図９】従来の回転バケット及びスペーサの斜視図
【符号の説明】
【００４２】
１…自動販売機本体、２…前面扉、２ａ…ガラス板、１０…収容ラック、１０ａ…商品通路、１１…側面板、１１ａ…第１取付孔、１１ｂ…第２取付孔、１１ｃ…レール、１２…前面板、１２ａ…開口部、１３…背面板、１４…仕切板、２０…スライダー、２０ａ…第１切欠部、２０ｂ…第２切欠部、３０…回転バケット、３１…載置部、３１ａ…ボス、３１ｂ…第１係合孔、３２…筒状部、３２ａ…開口部、３２ｂ…ボス、３２ｃ…第２係合孔、３２ｄ…第３係合孔、３３…第１フレーム、３４…第２フレーム、３５…駆動機構、４０…当接部材、５０…スペーサ、５１…フレーム部、５２…周方向延設部、５３…上下方向延設部、５４…第１係合突起、５５…第２係合突起、５６…第３係合突起、６０…前端支持部材、７０…後端支持部材、Ａ…ボトル商品。
【図１】
2007293583.tif 000003
【図２】
2007293583.tif 000004
【図３】
2007293583.tif 000005
【図４】
2007293583.tif 000006
【図５】
2007293583.tif 000007
【図６】
2007293583.tif 000008
【図７】
2007293583.tif 000009
【図８】
2007293583.tif 000010
【図９】
2007293583.tif 000011